(57)【要約】【課題】光源の色味が異なることへの対処を簡便かつ効率的に行うことができる照明装置および画像読取装置を提供する。【解決手段】光源と、該光源からの光が入射する入射面と、該入射面からの光が出射する出射面と、を含む導光体を有する導光ユニットと、を備える照明装置であって、前記導光ユニットは、前記光源からの光の色度を補正する補正手段を有する。【選択図】図７
2017098771.tif 000002
【特許請求の範囲】
【請求項１】
光源と、
該光源からの光が入射する入射面と、該入射面からの光が出射する出射面と、を含む導光体を有する導光ユニットと、
を備える照明装置であって、
前記導光ユニットは、前記光源からの光の色度を補正する補正手段を有することを特徴とする照明装置。
【請求項２】
前記光源からの光の色度と、前記補正手段により補正された光の色度との、ＣＩＥｘｙ色度図の色度座標上における色度差をΔｃｘ及びΔｃｙとするとき、以下の条件を満足することを特徴とする請求項１に記載の照明装置。
Δｃｘ＞０．００５
Δｃｙ＞０．００５
【請求項３】
前記補正手段は、前記光源からの光の色度が目標色度からずれている場合に、前記出射面から出射する前記光源からの光の色度を前記目標色度に近づけることを特徴とする請求項１または２に記載の照明装置。
【請求項４】
光源と、
前記光源からの光が入射する入射面と、前記光源からの光が出射する出射面と、を備える導光体を少なくとも備える導光ユニットと、
を有する照明装置であって、
前記光源からの光の色度と、前記出射面から出射する前記光源からの光の色度との、ＣＩＥｘｙ色度図の色度座標上における色度差をΔｃｘ、Δｃｙとするとき、以下の条件を満足することを特徴とする照明装置。
Δｃｘ＞０．００５
Δｃｙ＞０．００５
【請求項５】
前記導光体および前記出射面は第１の方向に長尺であり、
前記入射面は前記第１の方向における端面であり、
前記導光体は、前記入射面から入射して前記第１の方向に進行する光線を、前記導光体の外部に出射する偏向面を有し、
前記導光ユニットは、前記導光体の外部に、前記偏向面に対向し、前記偏向面より前記導光体の外部に出射した光束を、前記偏向面を介し前記導光体へ再入射させて前記出射面へと導く拡散反射部を有することを特徴とする請求項１乃至４のいずれか１項に記載の照明装置。
【請求項６】
前記補正手段は前記拡散反射部および前記導光体の少なくも一方に備わることを特徴とする請求項５に記載の照明装置。
【請求項７】
前記拡散反射部は、色相の異なる複数の拡散反射シートを備えることを特徴とする請求項５または６に記載の照明装置。
【請求項８】
前記拡散反射部は、色相の異なる複合塗料による塗装面を備えることを特徴とする請求項５または６に記載の照明装置。
【請求項９】
前記導光体は、前記補正手段として透過率で色度補正することを特徴とする請求項1乃至４のいずれか1項に記載の照明装置。
【請求項１０】
前記目標色度に対する、前記出射面から出射する前記光源からの光の色度のＣＩＥｘｙ色度図の色度座標上における色度差をΔｄｘ、Δｄｙとするとき、以下の条件を満足することを特徴とする請求項３に記載の照明装置。
−０．００５＜Δｄｘ＜０．００５
−０．０１＜Δｄｙ＜０．０１
【請求項１１】
前記補正手段は、前記光源からの光の色度が目標色度からずれている場合に、前記出射面から出射する前記光源からの光の色度を前記目標色度に近づけるものであり、
前記目標色度に対する、前記光源の色度のＣＩＥｘｙ色度図の色度座標上における色度差をｄｉｘ、ｄｉｙとし、
前記拡散反射部の色度を、標準イルミナントＤ６５における色度であるｘｂ＝０．３１２７、ｙｂ＝０．３２９１を基準として、ｘｒ、ｙｒとするとき、
以下の式を満足することを特徴とする請求項５乃至８のいずれか1項に記載の照明装置。
【数１】
2017098771.tif 000005
【数２】
2017098771.tif 000006
【請求項１２】
請求項１乃至１１のいずれか１項に記載の照明装置と、
前記照明装置で照明された原稿の画像を読取るセンサと、
前記原稿からの光束を前記センサに結像する結像光学系と、
を有することを特徴とする画像読取装置。
【発明の詳細な説明】
【技術分野】
【０００１】
本発明は、照明装置および画像読取装置に関し、特に原稿面を照明して線順次方式で画像読取を行うイメージスキャナー、複写機、ファクシミリなどに好適なものである。
【背景技術】
【０００２】
従来から画像読取装置における照明装置である原稿照明装置の光源として、ＬＥＤ（Ｌｉｇｈｔ  Ｅｍｉｔｔｉｎｇ  Ｄｉｏｄｅ）を利用した技術が知られている。そして、ＬＥＤを主走査方向に亘って複数個配置させたアレイ配置型の照明装置、あるいは透光性の樹脂等からなる導光体の長手方向端面（端部）にＬＥＤを配置して光源の放射光束を導光体に伝播させる端部配置型の照明装置などに分かれている。
【０００３】
ここで、アレイ配置型の画像読取装置に従来使用されてきた白色ＬＥＤは、一般に主用途としてディスプレイ等のバックライト照明に使用されているＬＥＤである。一方、端部配置型の照明装置に使用される高輝度ＬＥＤは、一般照明器具用途向けに発展してきた背景があり、両者は同じ白色でも大きく色味が異なる傾向にある。
【０００４】
前者の白色ＬＥＤは、アレイ配置型として複数の白色ＬＥＤを使って単一の照明装置を構成してきた関係上、かなり色味ランクが細かく細分化されて提供されている。一方、後者の高輝度ＬＥＤは、高輝度で且つ一般照明器具用途のために市場における要望が少なく、アレイ配置型用の白色ＬＥＤに対して色度のランクの範囲が極端に広いという特徴がある。
【０００５】
ここで、同じ白色でも色味が異なることへの対処に関連し、発光色を所望の色度範囲にランク付けすることを前提とすることが知られている（特許文献１）。また、光源の色調ランクに応じて画像信号（センサーＲＧＢ信号）の色空間を変換する色空間変換手段のマトリクス係数を設定することで、原稿を読み取った際の色再現性の改善を図ることが知られる（特許文献２）。
【０００６】
また、色度図上、所定の白色域から青色側にずれた擬似白色ＬＥＤと、黄色側にずれた擬似白色ＬＥＤを有し、２つの擬似白色ＬＥＤをＰＷＭ発光させてパルス幅を変調し混色発光させることで所定の白色域の色度に調光することが知られる（特許文献３）。
【先行技術文献】
【特許文献】
【０００７】
【特許文献１】特開２００４−１１９７４３号公報
【特許文献２】特開２００３−００８９１１号公報
【特許文献３】特開２０１１−０４０３６６号公報
【発明の概要】
【発明が解決しようとする課題】
【０００８】
しかしながら、特許文献１に知られるような選別されたランクのみを用いることは、他のランク品が無駄となり効率的でなく、更にはトータルコストが割高となってしまう。
【０００９】
また、特許文献２の構成では、事前に想定されうる光源の色度バラツキの範囲に対して複数の色空間変換マトリクスを生成しておく必要がある。一見容易に実現できそうに思われるが、実際には多色パッチ（例えば１００色パッチ）を取得して各パッチの取得色情報が所望の色差以内に収まるような最適マトリクスを生成する必要があり、事前に多数の色変換マトリクスを用意するのは困難である。
【００１０】
また、特許文献３の構成では、ＰＷＭの変調可能周波数は現状２０ｋＨｚ程度であり、高速読取では対応できず、更に２灯のうち１灯はＰＷＭ発光させているので導光体から出射して原稿面を照明する照明光量は２倍にはならず効率が不十分である。
【００１１】
本発明の目的は、光源の色味が異なることへの対処を簡便かつ効率的に行うことができる照明装置および画像読取装置を提供することにある。
【課題を解決するための手段】
【００１２】
上記目的を達成するために、本発明に係る照明装置は、光源と、該光源からの光が入射する入射面と、該入射面からの光が出射する出射面と、を含む導光体を有する導光ユニットと、を備える照明装置であって、前記導光ユニットは、前記光源からの光の色度を補正する補正手段を有することを特徴とする。
【００１３】
また、本発明に係る別の照明装置は、光源と、前記光源からの光が入射する入射面と、前記光源からの光が出射する出射面と、を備える導光体を少なくとも備える導光ユニットと、を有する照明装置であって、前記光源からの光の色度と、前記出射面から出射する前記光源からの光の色度との、ＣＩＥｘｙ色度図の色度座標上における色度差をΔｃｘ、Δｃｙとするとき、以下の条件を満足することを特徴とする。
【００１４】
Δｃｘ＞０．００５
Δｃｙ＞０．００５
【発明の効果】
【００１５】
本発明によれば、光源の色味が異なることへの対処を簡便かつ効率的に行うことができる照明装置および画像読取装置を提供することができる。
【図面の簡単な説明】
【００１６】
【図１】本発明の実施形態に係る照明装置を搭載した画像読取装置の要部概略図
【図２】本発明の実施形態に係る照明装置の要部概略図
【図３】本発明の実施形態に係る照明装置の副走査断面図
【図４】本発明の実施形態に係る照明装置のＡ部拡大図
【図５】本発明の実施形態に係る照明装置のＢ−Ｂ線に沿う要部断面図
【図６】本発明の実施形態に係る照明装置のＣ−Ｃ線に沿う要部断面図
【図７】（ａ）は本発明の実施形態に係る照明装置における光源であるＬＥＤの色度ランクを色度図上で説明する図、（ｂ）は要部簡略図
【図８】本発明の実施形態に係る照明装置における高輝度ＬＥＤの分光特性を説明する図
【図９】標準光源である標準イルミナントＤ６５の分光特性を説明する図
【図１０】一般的な疑似白色ＬＥＤの色度バラツキの分布を説明する図
【発明を実施するための形態】
【００１７】
以下、本発明の実施の形態を適宜図面に基づいて詳細に説明する。
【００１８】
（画像読取装置）
図１は、本発明の実施形態に係る照明装置としての原稿照明装置を搭載した画像読取装置の副走査断面図である。ここで、本願明細書では、「主走査方向」、「副走査方向」、「主走査断面」、「副走査断面」を以下のように定義する。すなわち、主走査方向とは図１の紙面垂直方向（長手方向である第１の方向）、副走査方向とは紙面内のＡ方向（第２の方向）、主走査断面とは第１の方向と第２の方向を含む断面（第１の断面）、副走査断面とは図１の紙面（第２の断面）とする。
【００１９】
図１で、１０７はキャリッジ（一体型走査光学系ユニット）である。このキャリッジ１０７は、原稿台ガラス（原稿台）１０２上に載置された原稿１０１を照明する原稿照明装置１０３により照明された原稿１０１からの光束を読取る読取手段（光電変換素子）であるセンサ（ラインセンサもしくはイメージセンサ）１０５を有する。
【００２０】
更に、原稿１０１からの光束をセンサ１０５に導く複数の折り返しミラー１０４ａ〜１０４ｄを有する。そして、原稿１０１からの画像情報に基づく光束を像面であるセンサ１０５面上に結像させる画像読取光学系としての結像光学系（縮小光学系、結像レンズ）１０６を有する。
【００２１】
このように構成されたキャリッジ１０７は、駆動手段としての駆動モータ（副走査モータ）１０８により同図に示す矢印Ａ方向（副走査方向）に走査される。キャリッジ１０７を構成する各要素は、その各要素の相対位置関係を変えずに原稿を走査するものである。
【００２２】
図１において、複数の折り返しミラーは、原稿１０１側から光路に沿って順に第１折り返しミラー１０４ａ、第２折り返しミラー１０４ｂ、第３折り返しミラー１０４ｃ、そして第４折り返しミラー１０４ｄから成る。各ミラーは、原稿１０１からの光束が、第１折り返しミラー１０４ａから第２折り返しミラー１０４ｂへ、また第２折り返しミラー１０４ｂから第３折り返しミラー１０４ｃへ入射するようにそれぞれ配置されている。更に、第３折り返しミラー１０４ｃから第４折り返しミラー１０４ｄへ入射するように配置されている。
【００２３】
そして、第４折り返しミラー１０４ｄへ入射した光束は、結像光学系１０６によりセンサ１０５面上へ結像する。このような構成において、センサ１０５で読取られた原稿の画像情報は、電気信号として特定の画像処理部（不図示）に送られ、特定の信号処理を施された後に出力されるようになっている。また、画像読取装置１００は、キャリッジ１０７を駆動するための電源部（不図示）を併せ持っている。
【００２４】
（照明装置）
本発明の実施形態に係る照明装置としての原稿照明装置１０３について、更に詳細に説明する。図２は、本実施形態に係る原稿照明装置１０３の長手方向（第１の方向、主走査方向）の断面図である。原稿照明装置１０３は、高輝度白色ＬＥＤである光源１１０と、以下に詳述する導光ユニットとして、導光体１１１と、導光体１１１の外部に設けられる拡散反射部（拡散反射部材）１１８とから構成される。なお、図３は原稿照明装置１０３の副走査断面図である。
【００２５】
図２に示すように、光源１１０は、導光体１１１の長手方向（第１の方向）の一方の端面（端部）に配置されており、他方の端面（端部）には拡散反射部材１１９が設置されている。導光体１１１の外側に設けられる拡散反射部１１８は、例えば白色シートなどで構成されている。本実施形態では、拡散反射部１１８は、白色色材の微細粒子を混入したポリ・エチレン・テレフタレート（ＰＥＴ樹脂）から成る白色シートである。導光体１１１は、ガラス材料やプラスチックなどの光学合成樹脂製部材で構成されており、本実施形態では成型し易いプラスチック材料のアクリル（ＰＭＭＡ）を使用している。
【００２６】
（導光ユニット）
原稿照明装置１０３から光源１１０を除いた導光ユニット１０９は、長手方向（第１の方向、主走査方向）に長尺な導光体１１１と、別体の拡散反射部１１８から構成される。図２に示すように、導光体１１１は、長手方向（第１の方向）の端面（端部）に配置した光源１１０からの光を入射させる入射面１１２、原稿１０１に向けて光源からの光を出射する出射面１１３、出射面１１３に対向する偏向面１１５を備える。そして、図２に示すように、偏向面１１５は、入射面１１２から入射して長手方向（第１の方向）に進行する光線を導光体１１１の外部に出射する機能を備え、反射面（第１領域）１１６と、矩形状プリズム（第２の領域）１１７を有する。
【００２７】
次に、拡散反射部１１８について説明する。偏向面１１５に対向する拡散反射部１１８は、矩形状プリズム（第２の領域）１１７の側面を屈折（透過）した光をランバート反射させて、偏向面１１５の反射面（第１領域）１１６に入射させる（その透過光が出射面１１３から出射する）機能を有する。偏向面１１５の反射面（第１領域）１１６における導光ユニットの断面図が図６であり、矩形状プリズム（第２の領域）１１７における導光ユニットの断面図が図５である。
【００２８】
図４のように矩形状プリズム（第２の領域）１１７に入射する光線Ａ１は、矩形状プリズム（第２の領域）１１７の側面を屈折（透過）して、第２側面１１５から離れて配置された拡散反射部１１８で拡散される。拡散反射部１１８で拡散された拡散反射光は、導光体１１１の反射面（第１領域）１１６に入射して、更に出射面１１３から出射して原稿１０１を照射する構成となっている。このように出射面１１３を通過して原稿面を照明する光線は、ほぼすべて一度は拡散反射部１１８に入射する構成となっている。
【００２９】
（光源色度と拡散反射部材）
図１０に示すように、擬似白色ＬＥＤは色調のバラツキが大きい。図１０は、ある白色ＬＥＤをロット量産したとき、その発光色調のバラツキの分布を示す。その色調は、図示のように右上がりの帯状に分散しており、より詳しくは、ＪＩＳ  Ｚ  ８１１０の色度区分による青色から白色点を通って黄色を通るほぼ線上の白色領域に帯状に分布している。
【００３０】
ここで、幅方向の分散（矢印Ａ）は主に青色ＬＥＤの発光波長のバラツキによって生じる色調のバラツキであり、長手方向の分散（矢印線Ｂ）は主に被覆部材に混入する蛍光粒子の量や分散のバラツキにより生じる色調のバラツキである。なお、青色ＬＥＤの発光波長はロット間のバラツキが大きいので、実際の量産では幅方向の分散（矢印線Ａ）はさらに広がっている。
【００３１】
そこで、擬似白色ＬＥＤ製造メーカー各社は、図７（ａ）に示すＣＩＥｘｙ色度図上の白色点（ｘ＝０．３３，ｙ＝０．３３）近傍で典型的な白色の領域の中である一定の幅と長さの領域を擬似白色ＬＥＤの発光領域としてランク分けして提供している。例えば、図７中のＡ，Ｂ、Ｃの矩形上色度領域のランクは高輝度ＬＥＤの提供ランクであり、ａ，ｂ，ｃ，ｄ，ｅ，ｆの矩形状色度領域は低輝度ＬＥＤの提供ランクである（低輝度ＬＥＤはアレイ配置型の照明装置で使用されるＬＥＤ）。
【００３２】
ここで、高輝度ＬＥＤは、低輝度ＬＥＤに対して色相のバラツキ要因が大きく、また一般照明器具用途であることからも色度ランク細分化の要望も少なく、提供される色度ランクの領域が広い。低輝度ＬＥＤほど色度ランクの細分化が困難であり、低輝度ＬＥＤ同等のランク選別をしようとするとカスタム品となりコストが大幅な上昇を招いてしまう。
【００３３】
画像読取装置における照明装置である原稿照明装置として、端部配置型の照明装置は、従来のアレイ配置型の照明装置に対し、いわば進化系とも言える存在であるが、両者共にそれぞれメリット、デメリットがある。アレイ配置型の照明装置は、その構成上、個々のＬＥＤは高輝度ＬＥＤに対して低輝度ではあるものの、配置上の制約はあるがＬＥＤ数を増減することで幅広いレンジの照明光量の照明装置の提供が可能である。
【００３４】
一方、高輝度ＬＥＤを用いる端部配置型の照明装置は、アレイ配置型の照明装置に比べ、光源である高輝度ＬＥＤは１ないしは２個程度と光源数が少なくて済むことが特徴である。しかしながら、高輝度ＬＥＤは、一般照明器具用途での需要が高く、その開発は活発ではあるものの現時点においては光量およびその光変換効率の観点で難点がある。よって、現時点で画像読取装置の要求するすべての光量レンジに対応するのは困難である。
【００３５】
本実施形態は、アレイ配置型の照明装置に最適化された画像読取装置に対して、端部配置型の照明装置への置き換えを可能とするものである。昨今、ＬＥＤの発光効率が高くなりつつあることから、ＬＥＤの使用個数を少なくでき（アレイ配置型に対し光源数の減少を光出力の高さで補償）、コスト的にメリットの高い端部配置型の照明装置が求められている。
【００３６】
アレイ配置型に対する導光体と同じ導光体に対して、このような端部配置型の照明装置が光源の配光特性が大きく異ならないものとして利用できれば、ＬＥＤを選択することで幅広い画像読取装置の必要性能を満足できる。すなわち、光学効率が高い導光体ができる前提で、ＬＥＤの選択だけで安価に幅広い画像読取装置に対応できる。
【００３７】
本実施形態に係る照明装置が用いられる画像読取装置においては、照明光またはその原稿反射光を人間の目が直接認識するものではなく、光電変換素子が受光して認識する構成である。したがって、発光色の中心色調は必ずしもＣＩＥｘｙ色度図上の白色点（ｘ＝０．３３，ｙ＝０．３３）である必要はなく、画像読取装置として光電変換素子の感度やトータルの効率を考慮して適宜設定するものである。
【００３８】
アレイ配置型の照明装置で使用していた低輝度ＬＥＤは、図７（ａ）のＣＩＥｘｙ色度座標上における矩形状の色度ランクａ，ｂ，ｃ，ｄ，ｅ，ｆのランクを使用し、その画像設計上の照明色の中心色調を（ｘ＝０．３０４、ｙ＝０．２９９）としていた。図７（ａ）において、この画像設計上の照明色の中心色調に対応する点（位置）をＴとして示している。
【００３９】
これに対し、端部配置型の照明装置に使用する高輝度ＬＥＤは、主として一般照明器具向けに開発されてきたという経緯があり、本実施形態で使用する高輝度ＬＥＤは低輝度ＬＥＤに対して色度座標上でｘ、ｙともに＋側に大きくずれている。即ち、色相としては比較的大きく赤緑方向に色味がずれていることになる。本実施形態では、高輝度ＬＥＤの発光色として、図７（ａ）のＣＩＥｘｙ色度図中のＳ点のサンプル（ｘ＝０．３１６、ｙ＝０．３２７）のものが入ったとする。
【００４０】
本実施形態の端部配置型の照明装置は、光源からの光が入射する入射面と、該入射面からの光が出射する出射面と、を含む導光体を有する導光ユニットが、光源からの光の色度を補正する色度補正手段（補正手段）を有する。そして、補正手段は、光源からのの光の色度が目標色度からずれている場合に、導光体１１１の出射面から出射する光源からの光の色度を目標色度に近づける。そして、被照射面（原稿面）に向かう照明光はほぼすべて拡散反射部１１８を経由することから、拡散反射部１１８を補正手段として機能させ、拡散反射部１１８の拡散分光反射特性で色度補正するものである。
【００４１】
本実施形態では、端部配置型の照明装置の被照射面上の照明光の目標色度を（ｘ＝０．３０４、ｙ＝０．２９９）とする。図７（ａ）において、この目標色度に対応する点（位置）はＴである。即ち、本実施形態では、補正手段としての拡散反射部１１８により、図７（ａ）における色度を点Ｓから点Ｔへ近づけるようにする。
【００４２】
図８は、色度が点Ｓで示される高輝度ＬＥＤの発光スペクトルである。拡散反射部１１８の分光反射率特性で補正後の照明光の色度は、照明色の色度範囲として図７（ａ）のａ，ｂ，ｃ，ｄ，ｅ，ｆのランクを許容していたことから、ａ，ｂ，ｃ，ｄ，ｅ，ｆを包括する色度領域内にあれば良い。図７（ｂ）においては、許容範囲をＷとして簡略化して示し、許容範囲内の補正された色度をＳ’として示している。許容範囲Ｗの許容範囲内であれば、画像読取装置のシステムとして使用可能な範囲と言うことになる。
【００４３】
ここで、目標色度（点Ｔ）と光源（点Ｓ）の色度差をｄｉｘ、ｄｉｙと定義すると、ｄｉｘ＝０．０１２，ｄｉｙ＝０．０２８となる。この色度差を補正するために、拡散反射部１１８に求められる特性を以下のようにして算出する。拡散反射部１１８の色度は物体の色度で定義上照明光に依存するため、測色の基準光として標準イルミナントＤ６５という標準光源（標準化された人工光源）を用いる。図９は、標準イルミナントＤ６５として定義されたスペクトルのグラフである。
【００４４】
色度座標上において、光源色と混色しても分光特性を変化させない全スペクトル域において分光反射率がフラットな物体色は（ｘｂ＝０．３１２７、ｙｂ＝０．３２９１）である。図７（ａ）において、この点（位置）はＵである。従って、光源色の色味を補正するためには、この（ｘｂ，ｙｂ）を基準として、拡散反射部１１８の色度を（ｘｒ、ｙｒ）としたとき、（ｘｒ＝ｘｂ−ｄｉｘ、ｙｒ＝ｙｂ−ｄｉｙ）となるように選択してやればよい。
【００４５】
このとき、補正後の照明光の色度は、色度図上のａ，ｂ，ｃ，ｄ，ｅ，ｆ，を包括した領域を満足すればよいから、拡散反射部１１８に求められる色度としてはｘｒは±０．００５、ｙｒは±０．０１は許容することが可能である。従って、次式を満足するように選択すればよい。
【００４６】
【数１】
2017098771.tif 000003
【００４７】
【数２】
2017098771.tif 000004
【００４８】
本実施形態においては、拡散反射部１１８として（ｘｒ＝０．３００６，ｙｒ＝０．３００９）を満足するようにしたことで、高輝度ＬＥＤの色度（ｘ＝０．３１６、ｙ＝０．３２７）は補正後に照明光の色度（ｘ＝０．３０４、ｙ＝０．２９９）となる。
【００４９】
即ち、図７（ｂ）において光源（点Ｓ）と拡散反射部１１８で補正された色度（点Ｓ’）の色度差をΔｃｘ、Δｃｙとするとき、以下の式を満足する。
【００５０】
Δｃｘ＞０．００５
Δｃｙ＞０．００５
また、本実施形態においては、点Ｔの色度と点Ｓ’の色度のＣＩＥｘｙ色度図の色度座標上における色度差をΔｄｘ、Δｄｙとするとき、以下の式を満足する。
【００５１】
−０．００５＜Δｄｘ＜０．００５
−０．０１＜Δｄｙ＜０．０１
ここで、目標とする拡散反射部１１８の色度は、所謂拡散性を有する白色色材（ＢａＳＯ４、ＴｉＯ２など）や、その白色色材の下地の分光反射率特性を任意に組み合わせることによって作成することが可能である。
【００５２】
また、拡散反射部１１８を、色相の異なる複数の拡散反射シートを備える、あるいは色相の異なる複合塗料による塗装面を備える構成とすることで、補正手段として機能させることもできる。
【００５３】
ここまで、あるサンプルの高輝度ＬＥＤの光源色度の補正に関して説明してきたが、説明した光源色以外の任意のランク内の光源色に対しても同様の考え方に基づき補正することが可能である。実際には使用する光源色を何ランクかに細分化し、同様の手法で条件式を満足できる色度の拡散反射部１１８を組み合わせて使用することが効率的である。
【００５４】
本実施形態によれば、導光体１１１に入射したほぼすべての光束が偏向面１１５を介し２次光源面である別体の拡散反射部１１８を照射し、ほぼランバートに拡散反射した光束が偏向面１１５を介し再入射し出射面を通して被照射面を照明している。即ち、ほぼ全光束が独立して設けられた拡散反射部１１８を介して被照射面に向かうため、光源色が所望の色度と異なった光源が入った場合でも拡散反射部１１８の色度を適宜選択することで被照射面において所望の色度の照明光を得ることが容易となる。
【００５５】
また、前述の理由により、アレイ配置型の照明装置に最適化された画像読取装置に対しても、拡散反射部の色度を適宜選択することでアレイ配置型の照明装置とほぼ同じ色度の照明装置を提供することができる。このように、本実施形態によれば、アレイ型照明装置に最適化された画像読取装置に対して異なる光源色の端部型照明装置をなんら問題なく適用することができる。
【００５６】
そして、擬似白色ＬＥＤの色味のバラツキを照明装置内で完結して補正することで、画像読取装置の可用性を向上させるとともに、色味ランク選別を緩和することでコストダウンを実現できる。
【００５７】
（変形例）
以上、本発明の好ましい実施形態について説明したが、本発明はこれらの実施形態に限定されず、その要旨の範囲内で種々の変形及び変更が可能である。
【００５８】
（変形例１）
本実施形態においては、全てを拡散反射部１１８だけで色度補正することに主眼をおいて説明したが、本発明はこれに限られない。例えば、高輝度ＬＥＤの色度のばらつき中心と目標色度（点Ｔ）との色度差を導光体の透過率で補正し、残差を拡散反射部１１８で補正する併用方式の構成でも補正可能である。導光体の透過率を変える具体的手段としては、例えば出射面１１３にコーティングを設けるとか、導光体の材料である樹脂にブルーミング材を添加するなどの手法を適用することができる。
【００５９】
また、全てを拡散反射部１１８だけで色度補正する替りに、全てを導光体１１１だけで色度補正することもできる。即ち、補正手段は拡散反射部１１８および導光体１１１の少なくも一方に備われば良い。
【００６０】
（変形例２）
上述した実施形態では、アレイ配置型の照明装置に最適化された画像読取装置に対して、単に端部配置型の照明装置に置き換えただけで他の部材を変更することなく良好な色再現性を維持できることを説明したが、逆の関係であっても良い。即ち、端部配置型の照明装置に最適化された画像読取装置に対して、単にアレイ配置型の照明装置に置き換えただけで他の部材を変更することなく良好な色再現性を維持することもできる。
【符号の説明】
【００６１】
１１０・・光源、１１１・・導光体、１１２・・入射面、１１３・・出射面、１１８・・拡散反射部（拡散反射部材）
【図１】
2017098771.tif 000007
【図２】
2017098771.tif 000008
【図３】
2017098771.tif 000009
【図４】
2017098771.tif 000010
【図５】
2017098771.tif 000011
【図６】
2017098771.tif 000012
【図７】
2017098771.tif 000013
【図８】
2017098771.tif 000014
【図９】
2017098771.tif 000015
【図１０】
2017098771.tif 000016